【手続補正書】
【提出日】平成20年9月4日(2008.9.4)
【手続補正１】
【補正対象書類名】明細書
【補正対象項目名】発明の名称
【補正方法】変更
【補正の内容】
【発明の名称】情報処理装置、情報処理システム、動作制御方法、記録媒体及びプログラム
【手続補正２】
【補正対象書類名】明細書
【補正対象項目名】特許請求の範囲
【補正方法】変更
【補正の内容】
【特許請求の範囲】
【請求項１】  外部装置からの指示に基づいて原稿を搬送する搬送手段と、
前記搬送手段により搬送される原稿から画像データを読み取る読取手段と、
前記読取手段により読み取られる画像データを前記外部装置に転送する転送手段と、
前記搬送手段により原稿が搬送されているか否かを判断する判断手段と、
前記搬送手段の搬送動作を停止させる指示を入力する停止指示入力手段と、
前記停止指示入力手段による停止指示入力と、前記判断手段による原稿が搬送されているとの判断とに基づき、前記搬送手段による搬送動作を停止させる制御手段と、
前記停止指示入力手段からの停止指示入力があり、前記判断手段により原稿が搬送されていると判断され、前記制御手段が搬送動作を停止させた後に、前記転送手段により転送済みの画像データを破棄させるための通知を前記外部装置に送信する通知手段とを有することを特徴とする情報処理装置。
【請求項２】  外部装置からの指示に基づいて原稿を搬送する搬送手段と、
前記搬送手段により搬送されている原稿から画像データを読み取る読取手段と、
前記読取手段により読み取られる画像データを前記外部装置に転送する転送手段と、
前記搬送手段により原稿が搬送されているか否かを判断する判断手段と、
前記搬送手段の搬送動作を停止させる指示を入力する停止指示入力手段と、
前記停止指示入力手段からの停止指示入力と、前記判断手段による原稿が搬送されているとの判断とに基づき、前記搬送手段による搬送動作を停止させる制御手段と、
前記停止指示入力手段からの停止指示入力があり、且つ前記判断手段により原稿の搬送が停止していると判断されたとき、前記転送手段により転送済みの画像データを保存させるための通知を前記外部装置に送信する通知手段とを有することを特徴とする情報処理装置。
【請求項３】  前記制御手段は、前記停止指示入力手段から停止指示の入力時間が所定時間以上あったときは、前記搬送手段の搬送動作の停止状態を維持させることを特徴とする請求項１記載の情報処理装置。
【請求項４】  前記制御手段は、前記停止指示入力手段からの停止指示の入力時間が所定時間を満たさなかったときは、前記搬送手段の搬送動作の停止状態を解除し搬送動作を再開させることを特徴とする請求項１記載の情報処理装置。
【請求項５】  前記転送手段は、前記判断手段により原稿の搬送が停止していると判断され、且つ、前記停止指示入力手段からの停止指示入力があったとき、前記読取手段により既に読み取られている未転送の画像データを前記外部装置に転送し、前記通知手段は、前記転送手段により当該未転送の画像データが転送された後に、前記転送手段により転送済みの画像データを保存させるための通知を前記外部装置に送信することを特徴とする請求項２記載の情報処理装置。
【請求項６】  前記停止指示入力手段は、原稿搬送停止中に押下される通常の停止用入力機構と同一の入力機構により構成されることを特徴とする請求項１記載の情報処理装置。
【請求項７】  一又は複数の機器と、当該一又は複数の機器のうち少なくとも一つの機器に対して動作を指示する管理装置とが互いに通信可能に接続されてなる情報処理システムであって、
前記少なくとも一つの機器は、請求項１〜６の何れか１項に記載の情報処理装置の機能を有することを特徴とする情報処理システム。
【請求項８】  原稿を搬送する搬送手段により原稿が搬送されているか否かを判断する判断ステップと、
外部装置からの指示に基づいて前記搬送手段の搬送動作を停止させる指示を入力する停止指示入力ステップと、
前記停止指示入力ステップによる停止指示入力に基づき前記搬送手段による搬送動作を停止させる制御ステップと、
前記停止指示入力による停止指示入力があり、前記判断ステップにより原稿が搬送されていると判断され、前記制御ステップにより搬送動作が停止された後に、前記外部装置へ転送済みの画像データを破棄させるための通知を前記外部装置に送信する通知ステップとを有することを特徴とする動作制御方法。
【請求項９】  搬送手段により原稿が搬送されているか否かを判断する判断ステップと、
外部装置からの指示に基づいて前記搬送手段の搬送動作を停止させる指示を入力する停止指示入力ステップと、
前記停止指示入力ステップによる停止指示入力に基づき前記搬送手段による搬送動作を停止させる制御ステップと、
前記停止指示入力ステップからの停止指示入力があり、且つ前記判断ステップにより原稿の搬送が停止していると判断されたとき、前記外部装置に転送済みの画像データを保存させるための通知を前記外部装置に送信する通知ステップとを有することを特徴とする動作制御方法。
【請求項１０】  前記制御ステップでは、前記停止指示入力ステップによる停止指示の入力時間が所定時間以上あったときは、搬送動作の停止状態を維持させることを特徴とする請求項８記載の動作制御方法。
【請求項１１】  前記制御ステップでは、前記停止指示入力ステップによる停止指示の入力時間が所定時間を満たさなかったときは、搬送動作の停止状態を解除し搬送動作を再開させることを特徴とする請求項８記載の動作制御方法。
【請求項１２】  前記判断ステップにより原稿の搬送が停止していると判断され、且つ、前記停止指示入力ステップによる停止指示入力があったとき、既に読み取られている未転送の画像データを前記外部装置に転送し、当該未転送の画像データが転送された後に、前記外部装置へ転送済みの画像データを保存させるための通知を前記外部装置に送信することを特徴とする請求項９記載の動作制御方法。
【請求項１３】  請求項１〜６の何れか１項に記載の情報処理装置、又は、請求項７記載の情報処理システムの各手段としてコンピュータを機能させるためのプログラムを記録したことを特徴とするコンピュータ読み取り可能な記録媒体。
【請求項１４】  請求項８〜１２の何れか１項に記載の動作制御方法の処理ステップをコンピュータに実行させるためのプログラムを記録したことを特徴とするコンピュータ読み取り可能な記録媒体。
【請求項１５】  請求項１〜６の何れか１項に記載の情報処理装置、又は、請求項７記載の情報処理システムの各手段としてコンピュータを機能させるためのプログラム。
【請求項１６】  請求項９〜１２の何れか１項に記載の動作制御方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、シート状の原稿を搬送させて、イメージセンサで画像情報を読み込むための技術に関し、特に、情報処理装置に設けられた操作パネル部上の停止ボタンにより搬送動作を制御可能とする技術に関するものである。
【手続補正４】
【補正対象書類名】明細書
【補正対象項目名】０００６
【補正方法】変更
【補正の内容】
【０００６】
本発明は、上記問題点に鑑みてなされてものであり、原稿搬送路中の原稿検知センサによる搬送異常検出だけでなく、搬送停止操作により原稿搬送を停止することで搬送異常による原稿破損を防止することを目的とする。
【手続補正５】
【補正対象書類名】明細書
【補正対象項目名】０００７
【補正方法】変更
【補正の内容】
【０００７】
また、本発明は、原稿搬送中に押下される緊急停止用の入力機構と、原稿搬送停止中に押下される通常の停止用入力機構とを同一のものとして構成することにより、利用者の操作性を向上させることを目的とする。
【手続補正６】
【補正対象書類名】明細書
【補正対象項目名】０００８
【補正方法】変更
【補正の内容】
【０００８】
さらに、本発明は、所定時間以上停止用入力機構が押下されたときに、搬送停止状態を維持するよう構成することにより、利用者の誤操作に対処することを目的とする。
【手続補正７】
【補正対象書類名】明細書
【補正対象項目名】０００９
【補正方法】変更
【補正の内容】
【０００９】
【課題を解決するための手段】
本発明の情報処理装置の第１の態様は、外部装置からの指示に基づいて原稿を搬送する搬送手段と、前記搬送手段により搬送される原稿から画像データを読み取る読取手段と、前記読取手段により読み取られる画像データを前記外部装置に転送する転送手段と、前記搬送手段により原稿が搬送されているか否かを判断する判断手段と、前記搬送手段の搬送動作を停止させる指示を入力する停止指示入力手段と、前記停止指示入力手段による停止指示入力と、前記判断手段による原稿が搬送されているとの判断とに基づき、前記搬送手段による搬送動作を停止させる制御手段と、前記停止指示入力手段からの停止指示入力があり、前記判断手段により原稿が搬送されていると判断され、前記制御手段が搬送動作を停止させた後に、前記転送手段により転送済みの画像データを破棄させるための通知を前記外部装置に送信する通知手段とを有することを特徴とする。
本発明の情報処理装置の第２の態様は、外部装置からの指示に基づいて原稿を搬送する搬送手段と、前記搬送手段により搬送されている原稿から画像データを読み取る読取手段と、前記読取手段により読み取られる画像データを前記外部装置に転送する転送手段と、前記搬送手段により原稿が搬送されているか否かを判断する判断手段と、前記搬送手段の搬送動作を停止させる指示を入力する停止指示入力手段と、前記停止指示入力手段からの停止指示入力と、前記判断手段による原稿が搬送されているとの判断とに基づき、前記搬送手段による搬送動作を停止させる制御手段と、前記停止指示入力手段からの停止指示入力があり、且つ前記判断手段により原稿の搬送が停止していると判断されたとき、前記転送手段により転送済みの画像データを保存させるための通知を前記外部装置に送信する通知手段とを有することを特徴とする。
本発明の動作制御方法の第１の態様は、原稿を搬送する搬送手段により原稿が搬送されているか否かを判断する判断ステップと、外部装置からの指示に基づいて前記搬送手段の搬送動作を停止させる指示を入力する停止指示入力ステップと、前記停止指示入力ステップによる停止指示入力に基づき前記搬送手段による搬送動作を停止させる制御ステップと、前記停止指示入力による停止指示入力があり、前記判断ステップにより原稿が搬送されていると判断され、前記制御ステップにより搬送動作が停止された後に、前記外部装置へ転送済みの画像データを破棄させるための通知を前記外部装置に送信する通知ステップとを有することを特徴とする。
本発明の動作制御方法の第２の態様は、搬送手段により原稿が搬送されているか否かを判断する判断ステップと、外部装置からの指示に基づいて前記搬送手段の搬送動作を停止させる指示を入力する停止指示入力ステップと、前記停止指示入力ステップによる停止指示入力に基づき前記搬送手段による搬送動作を停止させる制御ステップと、前記停止指示入力ステップからの停止指示入力があり、且つ前記判断ステップにより原稿の搬送が停止していると判断されたとき、前記外部装置に転送済みの画像データを保存させるための通知を前記外部装置に送信する通知ステップとを有することを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００５５
【補正方法】変更
【補正の内容】
【００５５】
ここで、操作パネル部Ｐ上の搬送動作停止ＳＷ１５２が押下されると（ステップＳ３０／ＹＥＳ、ステップＳ５１／ＹＥＳ）、図９に示すように、原稿台５に原稿６が置かれていないことがセンサーＰ１等を用いて検知できた場合は、即ち原稿６が搬送中でないと判定した場合は（ステップＳ５２／ＮＯ）、原稿台５に置かれた原稿６は全て搬送された旨をホストコンピュータ５７に伝達する（ステップＳ５３）。ホストコンピュータ５７は、スキャナＳから原稿台５に原稿６が存在しない旨の伝達を受け取ると、スキャンした画像を保存するためのファイルを閉じる等、一つの原稿束に対するスキャンを終了させる。
【手続補正２６】
【補正対象書類名】明細書
【補正対象項目名】００５７
【補正方法】変更
【補正の内容】
【００５７】
このように、原稿搬送中に操作パネル部Ｐ上の搬送動作停止ＳＷ１５２が押された場合（ステップＳ３０／ＹＥＳ、ステップＳ５１／ＹＥＳ）、図９に示したように、原稿台５に原稿６が置かれていることがセンサーＰ１等を用いて検知できた場合は、即ち原稿６が搬送中と判定した場合は（ステップＳ５２／ＹＥＳ）、ホストコンピュータ５７に画像送出途中か否かにかかわらず、原稿６を搬送中であれば搬送を緊急停止する（ステップＳ５４）。特に、原稿６の搬送中に、操作パネル部Ｐ上の搬送動作停止ＳＷ１５２が所定時間押され続けたことを検出すると（ステップＳ５６／ＹＥＳ）、原稿搬送を異常停止した旨をホストコンピュータ５７に伝達する（ステップＳ５７）。この通知を受けたホストコンピュータ５７は何らかの要因によってスキャナＳが異常停止したと判断し、スキャンを停止させる。このとき、ホストコンピュータは搬送停止した画像情報を破棄し、スキャナＳが原稿搬送可能状態になった後で、再びスキャン開始指示をスキャナに行う。